(57)【特許請求の範囲】
【請求項１】
装置フレームに帳票スタッカを隣接配置し、装置フレームに帳票フィーダを備え、帳票スタッカに帳票収納部を支持し、この帳票収納部に収納される帳票を帳票リフタ装置のリフトモータにより昇降自在とされる帳票受台上に支持し、帳票フィーダから送給される帳票を上記帳票収納部に積み重ね収納可能にするとともに、帳票プレスのプレス前後進モータにより装置フレームの側から帳票収納部の側へ進退可能にされる圧縮プレートにより、帳票収納部に積み重ねられた帳票を圧縮可能にする帳票スタック装置において、
上記帳票スタッカが上記装置フレームに対し分離可能に配設されるとともに、この帳票スタッカの上記帳票収納部がスタッカフレームに対し反転可能に構成し、
帳票リフタ装置のリフトモータ及び帳票受台を装置フレームの側に設置し、該帳票受台を帳票スタッカの帳票収納部にて昇降可能に構成し、
帳票プレスのプレス前後進モータ及び圧縮プレートを装置フレームの側に設置し、該圧縮プレートを帳票スタッカの帳票収納部へ向かい進退可能に構成するとともに、
帳票受台が、帳票収納部に挿入される底板を介して帳票を支持することを特徴とする帳票スタック装置。
【発明の詳細な説明】
【０００１】
【産業上の利用分野】
この発明は、帳票、特に連続帳票をスタックする帳票スタック装置に関する。
【０００２】
【従来の技術】
ビジネスフォーム等の連続帳票を作成する場合、ロール紙に折りミシン目及びマージナルパンチを形成した後、所定のフォーマットを印刷し、この連続帳票を折りミシン目により折り畳んで積み重ね（あるいはロール状に巻取り）、図７に示すように、この積み重ねられた（あるいはロール状に巻き取られた）連続帳票１にプリンタ２を用いて個人情報を印字し、帳票スタック装置３に積み重ね状態でスタックしている。
【０００３】
【発明が解決しようとする課題】
上記従来の帳票スタック装置３では、スタック量が、連続帳票１の積み重ね状態で2000〜3000枚程度であり、後処理機へは作業者が手作業で供給している。つまり、作業者は、帳票スタック装置３から積み重ね状態の連続帳票１を取り出し、反転して、最初に印刷されたものを上にして箱に詰め、後処理機の供給部へ搬入し、この後処理機において最初に印刷したものを先に処理（若番処理）できるように、後処理機にセットしている。
【０００４】
従って、帳票スタック装置３に多数枚、例えば5000〜10000 枚の連続帳票１を積み重ねスタックする場合には、この積み重ねられた連続帳票１を手作業で反転させることが容易でなく、後処理機において、容易に若番処理することができない。
【０００５】
この発明は、上述の事情を考慮してなされたものであり、積み重ねられて収納された帳票を後処理機において容易に若番処理できる帳票スタック装置を提供することを目的とする。
【０００６】
【課題を解決するための手段】
請求項１に記載の本発明は、装置フレームに帳票スタッカを隣接配置し、装置フレームに帳票フィーダを備え、帳票スタッカに帳票収納部を支持し、この帳票収納部に収納される帳票を帳票リフタ装置のリフトモータにより昇降自在とされる帳票受台上に支持し、帳票フィーダから送給される帳票を上記帳票収納部に積み重ね収納可能にするとともに、帳票プレスのプレス前後進モータにより装置フレームの側から帳票収納部の側へ進退可能にされる圧縮プレートにより、帳票収納部に積み重ねられた帳票を圧縮可能にする帳票スタック装置において、上記帳票スタッカが上記装置フレームに対し分離可能に配設されるとともに、この帳票スタッカの上記帳票収納部がスタッカフレームに対し反転可能に構成し、帳票リフタ装置のリフトモータ及び帳票受台を装置フレームの側に設置し、該帳票受台を帳票スタッカの帳票収納部にて昇降可能に構成し、帳票プレスのプレス前後進モータ及び圧縮プレートを装置フレームの側に設置し、該圧縮プレートを帳票スタッカの帳票収納部へ向かい進退可能に構成するとともに、帳票受台が、帳票収納部に挿入される底板を介して帳票を支持するようにしたものである。
【０００７】
【作用】
本発明によれば下記(a)〜(c)の作用効果を奏する。
(a)帳票スタッカが装置フレームに対し分離可能に配設されたので、帳票スタッカの帳票収納部に帳票が所定量積み重ねられて収納された後に、この帳票スタッカのみを装置フレームから分離して後処理機まで移動できる。このため、従来のように、帳票を箱詰めして後処理機へ搬入する作業が不要となる。
【０００８】
(b)帳票スタッカの帳票収納部がスタッカフレームに対し反転可能に構成されたことから、後処理機まで移動した帳票スタッカの帳票収納部を反転して、この後処理機において、最初に収納した帳票を先に処理する若番処理を容易に実施できる。また、反転しない場合には、最後に収納した帳票を先に処理する老番処理を実施できる。
(c)帳票リフタ装置を構成する帳票受台やそのリフトモータが装置フレームに設けられ、更に帳票プレスを構成する圧縮プレートやそのプレス前後進モータも装置フレームに設けられ、それらの帳票リフタ装置と帳票プレスの構成部分が装置フレームから分離可能とされる帳票スタッカ側にはない。従って、帳票が積み重ねられて圧縮された後、帳票リフタ装置や帳票プレスのモータ等を伴なわない帳票スタッカだけを装置フレームから分離して後処理機まで移動できる。即ち、帳票スタッカの軽量化が図れ、移動時の作業性に優れる。
【０００９】
【実施例】
以下、この発明の実施例を図面に基づいて説明する。
図１は、この発明に係る帳票スタック装置の一実施例を示す正面断面図である。図２は、図１の帳票スタック装置の平面図である。図３は、図１の帳票スタック装置の左側面図である。図４は、図１の帳票スタッカを示す正面図である。図５は、図４の帳票スタッカの一部を切り欠いて示す平面図である。図６（Ａ）、（Ｂ）は、図４の帳票スタッカのそれぞれ左側面図、右側面図である。
【００１０】
図１〜図３に示すように、帳票スタック装置１０は、装置フレーム１１、帳票スタッカ１２、帳票フィーダ１３、帳票セパレータ１４、帳票リフタ１５及び帳票プレス１６を有して構成される。この帳票スタック装置１０は、プリンタ１７に隣接配置され、このプリンタ１７にて、例えばビジネスフォームが印字された連続帳票１８をスタックする。ここで連続帳票１８には、両側部にマージナルパンチ１９が多数穿設されるとともに、長手方向に所定間隔で折りミシン目２０が刻設されている。連続帳票１８のスタック時には、連続帳票１８は、折りミシン目２０により交互に折り返されて積み重ねられスタックされる。
【００１１】
上記装置フレーム１１は、直方体形状の装置フレーム本体２１に、横断面コ字形状の箱形の装置フレーム底部２２が一体に固着されたものである。この装置フレーム底部２２にキャスタ２３が設置されて、装置フレーム１１は移動自在に設けられる。また、コ字形状の装置フレーム底部２２の内側２２Ａに、この装置フレーム底部２２に隣接して前記帳票スタッカ１２が配置可能とされる。
【００１２】
帳票スタッカ１２は、後に詳説するが、直方体形状のスタッカフレーム２４にスタッカ底部２５が固着されるとともに、スタッカフレーム２４に帳票収納部２６が回転シャフト２７を介して回転自在に支持されたものである。スタッカ底部２５にキャスタ２８が設置されて、帳票スタッカ１２は、装置フレーム１１に対し分離して移動可能に構成される。また、上記帳票収納部２６内に折りミシン目２０にて折り返された連続帳票１８が折り畳まれて積み重ねられ、収納可能とされる。
【００１３】
前記帳票フィーダ１３及び帳票セパレータ１４は、装置フレーム１１における装置フレーム本体２１の上部に設置される。帳票フィーダ１３はピントラクタ３０を備えてなり、このピントラクタ３０が連続帳票１８のマージナルパンチ１９に嵌合して、連続帳票１８を帳票スタッカ１２の帳票収納部２６へ向かい送給する。ピントラクタ３０は、フィードモータ３１からの駆動力が、ベルト３２及びプーリ３３を介して伝達され、回転駆動される。
【００１４】
また、帳票セパレータ１４は、プーリ３３に連結ロッド３５を介して首振アーム３６を連結させ、プーリ３３の回転により、首振アーム３６を揺動して往復運動させるものである。この首振アーム３６に案内バー３７が複数本植設され、ピントラクタ３０から送給された連続帳票１８が、これらの案内バー３７間に挿通される。首振アーム３６は、ピントラクタ３０が連続帳票１８を帳票１枚分（連続帳票１８における隣接する両折りミシン目２０間の部分）送給したときに、１ストローク動く。従って、帳票フィーダ１３のピントラクタ３０により、帳票収納部２８へ向かい送給された連続帳票１８は、帳票セパレータ１４の首振アーム３６にて、折りミシン目２０を境に交互に折り返されて、帳票スタッカ１２の帳票収納部２６に折り畳まれて積み重ねられスタックされる。
【００１５】
帳票リフタ１５は、装置フレーム本体２１に固着されたリフトガイドレール３８と、このリフトガイドレール３８に嵌合するリフトスライダ３９に固着されて、リフトガイドレール３８に沿い昇降自在な帳票受台４０と、装置フレーム本体２１に固着されたリフトモータ４１と、このリフトモータ４１にプーリ４２Ａ及び４２Ｂ並びにベルト４３を介して連結され、リフトガイドレール３８に沿って移動可能なリフタチェーン４４と、を有して構成される。帳票受台４０は、リフタチェーン４４に固着され、従って、リフトモータ４１の作動により、リフトガイドレール３８に沿って昇降可能に構成される。
【００１６】
更に、この帳票受台４０は、当初上昇端にあり、間欠的に下降するよう制御される。この帳票受台４０上に、帳票スタッカ１２の底板６２（後述）が載置可能とされ、この底板６２上に、帳票フィーダ１３にて送給され、帳票セパレータ１４にて折り返された連続帳票１８が、折り畳まれて積み重ねられる。
【００１７】
また、装置フレーム１１の装置フレーム本体２１には、帳票受台４０の両側に帳票センサ４５が設置される。この帳票センサ４５は、例えば投受光型のフォトセンサであり、この帳票センサ４５によって帳票スタッカ１２の底板６２上に折り畳まれて積み重ねられた連続帳票１８の上面が所定レベルに達したことが検出される。
【００１８】
上記帳票プレス１６は、装置フレーム１１の装置フレーム本体２１に設置され、この装置フレーム本体２１内を昇降可能なプレス昇降部４６と、このプレス昇降部４６に配設されて、帳票スタッカ１２の帳票収納部２６内へ進退可能に構成された圧縮プレート４７と、を有して構成される。
【００１９】
装置フレーム１１の装置フレーム本体２１にはプレス昇降モータ４８が設置されるとともに、上下にスプロケット４９Ａ及び４９Ｂがそれぞれ設置され、これらのスプロケット４９Ａ及び４９Ｂ間にプレス昇降チェーン５０が巻き掛けられる。プレス昇降モータ４８は駆動チェーン５１を介してスプロケット４９Ｂに連結され、プレス昇降チェーン５０を駆動させる。
【００２０】
また、上記装置フレーム本体２１には、帳票リフタ１５の帳票受台４０の昇降方向に沿って昇降用ガイドレール５２が固着される。プレス昇降部４６は、昇降スライダ５３を用いて上記昇降用ガイドレール５２に嵌合される。更に、このプレス昇降部４６は、プレス昇降チェーン５０に固着される。従って、プレス昇降モータ４８の駆動により、駆動チェーン５１及びプレス昇降チェーン５０を介してプレス昇降部４６が昇降用ガイドレール５２に沿い、昇降リフタ１５の帳票受台４０の昇降方向に昇降可能に構成される。
【００２１】
また、プレス昇降部４６の天面部に進退用ガイドレール５４が固着される。一方、圧縮プレート４７に進退用スライダ５５が固着され、この進退用スライダ５５が昇降用ガイドレール５４に嵌合して、圧縮プレート４７がスライド可能に構成される。プレス昇降部４６にはプレス前後進モータ５６が設置されるとともに、スクリュー５７が回転自在に軸支される。プレス前後進モータ５６は、プーリ（図示せず）及び前後進用ベルト５８を介してスクリュー５７に連結される。また、このスクリュー５７には、圧縮プレート４７に固着されたナット５９が螺合される。従って、プレス前後進モータ５６の駆動により、前後進用ベルト５８等を介してスクリュー５７が回転し、圧縮プレート４７が帳票スタッカ１２の帳票収納部２６へ向かい進退可能に構成される。
【００２２】
さて、図４〜図６に示すように、上記帳票スタッカ１２は、前述のように、スタッカフレーム２４に回転シャフト２７を介して帳票収納部２６が回転自在に支持されて構成される。この帳票収納部２６は、複数本（例えば 4本）の収納ピラー６０を、この収納ピラー６０の軸方向に配置された複数本（ 3本）の補強板６１によって結合させたものである。この帳票収納部２６には、図４及び図６（Ｂ）における上下部に底板６２が着脱自在に挿入される。この底板６２は、前述の如く、帳票リフタ１５の帳票受台４０に支持されて、帳票リフタ１５の作用のもとに、帳票収納部２６の長手方向に昇降可能とされる。
【００２３】
回転シャフト２７は、図５に示すように、スタッカフレーム２４に回転自在に貫通される。この回転シャフト２７の一端は、補強板６１に固定されたボス６３に、ピン６４を用いて回転一体に結合される。また、回転シャフト２７の他端は、スタッカアーム６５の長手方向中央部に回転一体に固着される。このスタッカアーム６５は、図６（Ａ）及び図５に示すように、両端部に切欠６６Ａ、６６Ｂがそれぞれ形成される。これらの切欠６６Ａまたは６６Ｂのいずれか一方は、スタッカフレーム２４に螺合されたハンドルストッパ６７に係止され、このハンドルストッパ６７により締め付け可能とされる。従って、ハンドルストッパ６７を緩め、スタッカアーム６５を用いて回転シャフト２７を 180度回転させることにより、帳票収納部２６がスタッカフレーム２４に対し反転される。
【００２４】
尚、図１に示す符号６８Ａ及び６８Ｂは、それぞれアッパループセンサ、ロアループセンサであり、連続帳票１８の有無を検出するものである。帳票フィーダ１３のピントラクタ３０の送給速度がプリンタ１７よりも若干速めに設定されているので、アッパループセンサ６８Ａが連続帳票１８無を検出したときにピントラクタ３０を停止させ、ロアループセンサ６８Ｂが連続帳票１８有を検出したときにピントラクタ３０を起動させる。また、符号６９はフィードセンサであり、連続帳票１８が帳票フィーダ１３内に存在することを検出するものである。
【００２５】
次に、作用を説明する。
帳票スタッカ１２を装置フレーム１１における装置フレーム底部２２の内側２２Ａに配置する。このとき、帳票リフタ１５の帳票受台４０を上昇端位置に設置して帳票スタッカ１２の底板６２を最上位置に設置し、帳票プレス１８のプレス昇降部４６を所定位置に設置する。この状態で、帳票フィーダ１３のピントラクタ３０を作動させ、帳票セパレータ１４の首振りアーム３６を作動させて、連続帳票１８を折り返しながら帳票スタッカ１２の帳票収納部２６内へ送給する。この帳票１８は、帳票受台４０に支持された帳票スタッカ１２の底板６２上に折り畳まれて積み重ねられる。
【００２６】
帳票受台４０に支持された底板６２上の連続帳票１８の上面が所定レベルに達すると、これを帳票センサ４５が検出し、帳票プレス１６の圧縮プレート４７が前進する。その後、プレス昇降部４６が下降して、帳票受台４０上の底板６２上に積み重ねられた連続帳票１８を、圧縮プレート４７と底板６２との間で押圧し、折り返し部を圧縮する。次に、この圧縮プレート４７がその高さ位置で、またはわずかに上昇してから後退し、プレス昇降部４６が所定位置まで上昇する。
【００２７】
その後、帳票リフタ１５の帳票受台４０が一定量下降して停止し、帳票センサ４５が連続帳票１８を検知するまで、帳票フィーダ１３及び帳票セパレータ１４により、帳票収納部２６内の帳票受台４０に支持された底板６２上へ連続帳票１８を折り畳んで積み重ねる。帳票センサ４５が連続帳票１８の上面レベルを新たに検知したときに、圧縮プレート４７が、帳票受台４０に支持された底板６２上に積み重ねられた連続帳票１８を圧縮する。
【００２８】
上記動作を帳票リフタ１５の帳票受台４０が下降端に来、底板６２が帳票収納部２６内で最下位置に来るまで繰り返す。その後、作業者等が連続帳票を切り離し、この帳票スタッカ１２を装置フレーム１１から分離し、空の帳票スタッカ１２を装置フレーム１１に配置するとともに、帳票収納部２６に連続帳票１８が収納された帳票スタッカ１２をキャスタ２８を用いて後処理機（図示せず）まで移動させる。
【００２９】
この状態で、図６（Ｂ）の２点鎖線に示すように、帳票収納部２６の上方に底板６２を挿入し、ハンドルストッパ６７を緩めてスタッカアーム６５を 180度回転させ、帳票収納部２６を反転させる。この反転後、ハンドルストッパ６７を締め付けてスタッカアーム６５を固定し、上方に配置されることになった底板６２を取り除き、プリンタ１７にて先に印刷され、帳票収納部２６に先に収納された連続帳票１８を、後処理機にて最初に引出し可能とする。
【００３０】
上記実施例によれば、帳票スタッカ１２が装置フレーム１１に対し分離可能に配設されたので、帳票スタッカ１２の帳票収納部２６に連続帳票１８が所定量積み重ねられて収納された後に、この帳票スタッカ１２のみを装置フレーム１１から分離して後処理機まで移動させることができる。このため、従来のように、連続帳票１８を箱詰めして後処理機へ搬入する作業が不要となる。
【００３１】
また、帳票スタッカ１２の帳票収納部２６が、回転シャフト２７及びスタッカアーム６５を用いてスタッカフレーム２４に対し反転可能に構成されたことから、後処理機まで移動した帳票スタッカ１２の帳票収納部２６を反転して、この後処理機において、最初に収納した連続帳票１８を先に処理する若番処理を容易に実施できる。また、帳票収納部２６を反転しない場合には、最後に収納した連続帳票１８を先に処理する老番処理を実施できる。
【００３２】
また、帳票スタッカ１２の帳票収納部２６が反転可能に構成されたので、この帳票収納部２６内に大容量（5000〜10000 枚）の連続帳票１８を収納できる。このため、帳票スタッカ１２の帳票満杯に伴うプリンタ１７の停止頻度を低減できる。更に、後処理機への連続帳票１８の供給量も増大して、この連続帳票１８の供給不足による後処理機の停止頻度も低減できる。これらの結果、プリンタ１７及び後処理機の稼動率を向上させることができる。
【００３３】
更に、帳票プレス１６の圧縮プレート４７を帳票リフタ１５の帳票受台４０に支持された帳票スタッカ１２の底板６２上に前進させ、これら底板６２及び圧縮プレート４７間で折り畳み積み重ねられた連続帳票１８を帳票プレス１６が圧縮することから、帳票スタッカ１２の帳票収納部２６内で積み重ねられた連続帳票１８を圧縮してスタックできる。このため、この帳票収納部２６内に多量の連続帳票１８を積み重ねてスタックすることができる。
【００３４】
【発明の効果】
以上のように、この発明に係る帳票スタック装置によれば、積み重ねられて収納された帳票を後処理機において容易に若番処理することができる。
【図面の簡単な説明】
【図１】  図１は、この発明に係る帳票スタック装置の一実施例を示す正面断面図である。
【図２】  図２は、図１の帳票スタック装置の平面図である。
【図３】  図３は、図１の帳票スタック装置の左側面図である。
【図４】  図４は、図１の帳票スタッカを示す正面図である。
【図５】  図５は、図４の帳票スタッカの一部を切り欠いて示す平面図である。
【図６】  図６（Ａ）、（Ｂ）は、図４の帳票スタッカのそれぞれ左側面図、右側面図である。
【図７】  図７は、従来例の帳票スタック装置を示す構成図である。
【符号の説明】
１０  帳票スタック装置
１１  装置フレーム
１２  帳票スタッカ
１３  帳票フィーダ
１５  帳票リフタ（帳票リフタ装置）
１６ 帳票プレス
１８  連続帳票
２４  スタッカフレーム
２６  帳票収納部
２７  回転シャフト
２８  キャスタ
４０  帳票受台
４１  リフトモータ
４７ 圧縮プレート
５６ プレス前後進モータ
６２  底板
６５  スタッカアーム
６７  ハンドルストッパ
【図１】
0003886546.tif 000002
【図２】
0003886546.tif 000003
【図３】
0003886546.tif 000004
【図４】
0003886546.tif 000005
【図５】
0003886546.tif 000006
【図６】
0003886546.tif 000007
【図７】
0003886546.tif 000008